(57)【要約】【課題】屋外に設置される電子機器において、イーサネットコネクタに関する半田付け部の酸化が発生し難くして、半田付け部の酸化に起因する電子機器の特性の無用な劣化を回避する構造を実現することを目的とする。【解決手段】ケース１１は、ケース本体３０とバックプレート４０とよりなり、ケース本体３０の外側にケーブル中継接続用部屋５０を有する。ケース本体３０は壁３４の一部にイーサネットプラグ差込用開口３６が形成してある。イーサネットコネクタ７０は半田付け部８５によってプリント回路基板２１上に実装してある。プリント回路基板２１はケース本体３０内に組み込んであり、イーサネットコネクタ７０及び半田付け部８５は、ケース１１の内部に位置している。イーサネットコネクタ７０はイーサネットプラグ差込用開口３６に対向しており、イーサネットコネクタ７０と壁３４との間にガスケット８０が挟み込まれている。【選択図】図３
2007220375.tif 000002
【特許請求の範囲】
【請求項１】
ケース本体とカバー部材とよりなるケースの内部に、プリント回路基板上に電子部品が実装されたプリント回路基板モジュールが組み込まれている構成の電子機器において、
前記プリント回路基板モジュールは、前面にプラグ差込口を有するコネクタが前記プリント回路基板に半田付けされて実装してある構成であり、
前記ケース本体は、壁の一部にプラグ差込用開口を有し、且つ、その内側のうち前記プラグ差込用開口と対向部分に、前記プリント回路基板モジュールが組み込まれた状態において、前記コネクタが収まるコネクタ収容部を有する構成であり、
前記プリント回路基板モジュールが前記ケース本体内に組み込まれた状態で、前記コネクタが、前記コネクタ収容部に収まり、そのプラグ差込口が前記プラグ差込用開口に対向しており、
且つ、前記ケース本体の前記壁と前記コネクタの前面との間に、ガスケットが挟まれて存在している構成としたことを特徴とする電子機器。
【請求項２】
ケース本体とカバー部材とよりなるケースの内部に、プリント回路基板上に電子部品が実装されたプリント回路基板モジュールが組み込まれており、且つ、ケーブル中継接続用部屋を備えた構成の電子機器において、
前記プリント回路基板モジュールは、前面にプラグ差込口を有するコネクタが前記プリント回路基板に半田付けされて実装してある構成であり、
前記ケース本体は、その内側部分に、前記プリント回路基板モジュールが組み込まれた状態において、前記コネクタが収まるコネクタ収容部を有し、且つ、前記ケースの内部と前記ケーブル中継接続用部屋とを仕切る仕切り壁の部分のうち前記コネクタ収容部に対向する部分に、プラグ差込用開口を有する構成であり、
前記プリント回路基板モジュールが前記ケース本体内に組み込まれた状態で、前記コネクタが、前記コネクタ収容部に収まり、そのプラグ差込口が前記プラグ差込用開口に対向しており、
且つ、前記ケース本体の前記仕切り壁と前記コネクタの前面との間に、ガスケットが挟まれて存在している構成としたことを特徴とする電子機器。
【請求項３】
請求項１又は請求項２に記載の電子機器において、
前記コネクタ収容部は、前記ケース本体の内部に、該ケース本体と一体的に形成してあり、前記プラグ差込用開口に対向して配置してあり、前記コネクタが嵌合する形状のホルダ部を有する構成であることを特徴とする電子機器。
【請求項４】
請求項１又は請求項２に記載の電子機器において、
前記ガスケットは、前記コネクタに貼り付けてある構成としたことを特徴とする電子機器。
【請求項５】
請求項１又は請求項２に記載の電子機器において、
前記ガスケットは、前記ケース本体の内面に貼り付けてある構成としたことを特徴とする電子機器。
【請求項６】
請求項３に記載の電子機器において、
前記ホルダ部は、コ字状の板部よりなり内側には各板部より突き出して複数のリブが前記コネクタ収容部の内側に延在して形成してあることを特徴とする電子機器。
【請求項７】
請求項６に記載の電子機器において、
前記リブの各端側には、前記コネクタを前記コネクタ収容部内にガイドする傾斜したガイド部を有することを特徴とする電子機器。
【発明の詳細な説明】
【技術分野】
【０００１】
本発明は電子機器に係り、特に屋外に設置されて使用される電子機器において、外からのケーブルの端が接続されるコネクタを備えた電子機器に関する。
【背景技術】
【０００２】
ケースの内部にプリント回路基板モジュールが収容してあり、且つ、外からのケーブルの端が接続されるようになっており、屋外に設置されて使用される電子機器がある。この種の電子機器では、内部に雨水が浸入しないようになっていること、及び、ケーブルの端が接続される半田付け部が酸化して錆びないようになっていることが重要である。半田付け部が酸化すると電子機器の特性が劣化する虞れがあるからである。
【０００３】
図９は従来の電子機器１を示す。電子機器１は、ケース２の前面側にドア３，４が閉じられることによって形成されるケーブル中継接続用部屋５を備えた構成であり、イーサネットコネクタ６がこの部屋５の内部に設けてある構成である。イーサネットコネクタ６は、複数の端子が並んで設けてある接続中継ブロック７の一部に設けてあり、この接続中継ブロック７が部屋５の背面壁８上に固定してある。なお、イーサネットは登録商標である。
【０００４】
また、ケース２の背面壁８には端子が貫通して設けてあり、イーサネットコネクタ６はこの端子を介してケース２内のプリント基板と電気的に接続されている。イーサネットコネクタ６と端子との間は電線が半田付けされて接続してあり、イーサネットコネクタ６に関連する半田付け部がケーブル中継接続用部屋５内に存在している。
【０００５】
電子機器１は家の外壁に固定されて図９に示す姿勢で設置され、外からのケーブル１００の端のイーサネットプラグ１１０がケーブル中継接続用部屋５内に導かれ、イーサネットコネクタ６と接続してある。
【特許文献１】特開２０００−３３２４５２号公報
【特許文献２】特開平１１−８６９２５号公報
【発明の開示】
【発明が解決しようとする課題】
【０００６】
ここで、イーサネットコネクタ６に関連する半田付け部がケーブル中継接続用部屋５内に存在しており、このケーブル中継接続用部屋５は閉じたドア３，４によって形成されただけの空間であり、外部の湿気等が侵入することがあり得る。
【０００７】
このため、電子機器１の使用を開始してから比較的短期間のうちに、半田付け部分が酸化して錆びてしまう虞れがあった。半田付け部が酸化して錆びてしまうと、電子機器１の特性に悪い影響を与える虞れがあった。
【０００８】
また、ケース２の背面壁８のうち端子が背面壁８の貫通している部分をシールするために、接着剤を塗布する作業が面倒であった。
【０００９】
そこで、本発明は、上記課題を解決した電子機器を提供することを目的とする。
【課題を解決するための手段】
【００１０】
本発明は、ケース本体（３０）とカバー部材（４０）とよりなるケース（１１）の内部（５０）に、プリント回路基板上に電子部品が実装されたプリント回路基板モジュール（２０）が組み込まれている構成の電子機器において、
前記プリント回路基板モジュールは、前面にプラグ差込口（７６）を有するコネクタ（７０）が前記プリント回路基板に半田付けされて実装してある構成であり、
前記ケース本体は、壁（３４）の一部にプラグ差込用開口（３６）を有し、且つ、その内側のうち前記プラグ差込用開口と対向部分に、前記プリント回路基板モジュールが組み込まれた状態において、前記コネクタが収まるコネクタ収容部（９０）を有する構成であり、
前記プリント回路基板モジュールが前記ケース本体内に組み込まれた状態で、前記コネクタ（７０）が、前記コネクタ収容部（９０）に収まり、そのプラグ差込口（７６）が前記プラグ差込用開口（３６）に対向しており、
且つ、前記ケース本体の前記壁と前記コネクタの前面との間に、ガスケット（８０）が挟まれて存在している構成としたことを特徴とする。
【００１１】
尚、上記参照符号は、あくまでも参考であり、これによって、本願発明が図示の態様に限定されるものではない。
【発明の効果】
【００１２】
本発明によれば、コネクタが、コネクタ収容部に収まり、そのプラグ差込口がプラグ差込用開口に対向しており、且つ、ケース本体の壁とコネクタとの間にガスケットが存在している構成であるため、ケースの内部の空間のシール性を良好に維持した状態で、コネクタをケースの内部に組み込むことが出来、よって、コネクタがプリント回路基板に半田付けされた部分を酸化されにくいように出来、よって、半田付けされた部分の酸化に起因する電子機器の特性の低下を回避することが出来る。
【００１３】
また、プリント回路基板モジュールをケース本体内に組み込むとコネクタがコネクタ収容部に収まるため、電子機器の組立作業を容易に行なうことが出来る。
【発明を実施するための最良の形態】
【００１４】
次に本発明の実施の形態について説明する。
【実施例１】
【００１５】
図１は本発明の実施例１になる電子機器１０を家の外壁に固定されて設置されたときの姿勢で分解して示す。図２は電子機器１０を背面側から見て分解して示す。図３は電子機器１０を横側からみた断面図である。Ｘ１−Ｘ２は電子機器１０の幅方向、Ｙ１は電子機器１０の前面の方向、Ｙ２は電子機器１０の背面の方向、Ｚ１は電子機器１０の上方向、Ｚ２は電子機器１０の下方向である。図１は図示の便宜上、ドア６１、６２は透明として示す。
【００１６】
図１、図２及び図３に示すように、電子機器１０は、一辺が約３０ｃｍの大きさであり、ケース１１の内部にプリント回路基板モジュール２０が組み込まれている収容してある構成であり、図１及び図２に示す姿勢で、家の外壁に固定されて設置されて使用される。
【００１７】
ケース１１は、ケース本体３０と、カバー部材としてのバックプレート４０と、二つのドア６１、６２とを有する。ケース本体３０、バックプレート４０、ドア６１、６２は共に合成樹脂成形部品である。ケース本体３０の外側の一部にケーブル中継接続用部屋６５が形成してある。後述するように、イーサネットコネクタ７０はケース１１の内部空間５０内に組み込んである。
【００１８】
ケース本体３０は、略箱形状であり、背面の全面が開口３１であり、且つ、前面のうち下側寄りの部分に、凹部３２が形成してある。凹部３２は、Ｙ２側の背面壁３３と、Ｚ１側の壁３４と、Ｚ２側の壁３５とを有する。壁３４は、ケース１１の内部空間５０と後述するケーブル中継接続用部屋６５との間を仕切る壁である。
【００１９】
バックプレート４０は、ケース本体３０に複数のねじによって固定してあり、ガスケット４１を間に挟んでケース本体３０の背面開口３１を塞いでいる。よって、ケース１１の内部空間５０は、防滴性が保たれた空間である。
【００２０】
ドア６１、６２はケース本体３０にヒンジで支持されており、左右に分かれるように回動されて開かれ、互いに接近するように回動されて閉じられる。閉じられたドア６１、６２は、凹部３２を覆って、ケーブル中継接続用部屋６５を形成する。ケーブル中継接続用部屋６５は作業者が外部からのケーブルを接続するための端子（図示せず）が並んでいる構成であり、ドア６１、６２付きの構成として作業者がアクセスし易く形成してある。
【００２１】
プリント回路基板モジュール２０は、プリント回路基板２１上に電子部品２２が実装してある構成であり、ケース本体３０の背面の開口３１内に収まってケース本体３０にねじ止めして取り付けてある。
【００２２】
次に、イーサネットコネクタの組み込みに関連する構成について説明する。
【００２３】
図４（Ａ）、（Ｂ）はイーサネットコネクタ７０が組み込まれている部分を拡大して示す。図５はケース本体３０の一部をその背面側から見て示す図である。
【００２４】
図５及び図１中、３６はイーサネットプラグ差込用開口であり、仕切り壁３４のうちＸ２寄りの位置に形成してあり、ケーブル中継接続用部屋６５に対向している。
【００２５】
図５中、９０はイーサネットコネクタ収容部であり、ホルダ部３７と、仕切り壁３４と、段部３８とによって、略囲まれた部分である。
【００２６】
ホルダ部３７は、リブ状であり、ケース本体３０の前面板部３９の裏面よりＹ２方向に突き出しており、ケース本体３０の一部である。ホルダ部３７は、Ｚ１側の板部３７Ｚ１と、Ｘ１側の板部３７Ｘ１と、Ｘ２側の板部３７Ｘ２とよりなり、コ字形状であり、イーサネットプラグ差込用開口３６のＺ１側の部位に形成してある。ホルダ部３７の内側には、各板部３７Ｚ１、３７Ｘ１、３７Ｘ２より突き出して複数のリブ３７Ｚ１ａ、３７Ｘ１ａ、３７Ｘ２ａがＹ１−Ｙ２方向に延在して形成してある。各リブ３７Ｚ１ａ、３７Ｘ１ａ、３７Ｘ２ａのＹ２端側には、傾斜したガイド部３７Ｚ１ｂ、３７Ｘ１ｂ、３７Ｘ２ｂが形成してある。
【００２７】
特に、リブ３７Ｚ１ａは、イーサネットコネクタ７０の背面７２を係止して受け止めており、イーサネットコネクタ７０を仕切り壁３４側に押し付けるように作用する。
【００２８】
段部３８は、仕切り壁３４と前面板部３７とが繋がっている部分に沿って、ケース本体３０の内側に突き出て形成してある。
【００２９】
後述するように、ホルダ部３７がイーサネットコネクタ７０を背面及び左右の側面を規制し、仕切り壁３４がイーサネットコネクタ７０の前面を規制し、段部３８がイーサネットコネクタ７０の上面を規制する。
【００３０】
図１に示すように、イーサネットコネクタ７０はプリント回路基板２１上に半田付けして実装してある。８５は半田付け部である。
【００３１】
図６はイーサネットコネクタ７０を拡大して示す。図６中の向きを示す矢印の方向は、図１及び図２の矢印の方向と合わせてある。図６に示すように、イーサネットコネクタ７０は、コネクタ本体がシールドケースによってシールドされた構造であり、直方体形状であり、前面７１、背面７２、左右の側面７３，７４及び上面７５を有する。前面７１には、イーサネットプラグ差込口７６が形成してある。
【００３２】
８０はガスケットであり、開口８１を有し、開口８１をイーサネットプラグ差込口７６に一致させた状態で、イーサネットコネクタ７０の前面７１と上面７５とに跨って予め貼り付けてある。８０Ｚ２はイーサネットコネクタ７０の前面７１のガスケット部であり、８０Ｙ１はイーサネットコネクタ７０の上面７５のガスケット部である。
【００３３】
図７はイーサネットコネクタ７０がイーサネットコネクタ収容部９０内に組み込まれる過程を示す。
【００３４】
イーサネットコネクタ７０は、プリント回路基板モジュール２０をケース本体３０に取り付けるときに、イーサネットコネクタ収容部９０内に組み込まれる。
【００３５】
作業者が、プリント回路基板モジュール２０をケース本体３０の取り付け位置に合わせるようにしてケース本体３０に接近させると、イーサネットコネクタ７０は図７（Ａ）に示すようにＹ２側からイーサネットコネクタ収容部９０に接近する。
【００３６】
次いで、図７（Ｂ）に示すように、上面７５と背面７２との間の角部７６がガイド部３７Ｚ１ｂによって案内されて、また、上面７５と側面７３，７４との間の角部がガイド部３７Ｘ１ｂ、３７Ｘ２ｂによって案内されて、ホルダ部３７の中心側に寄せられる。
【００３７】
その後は、イーサネットコネクタ７０は、図７（Ｃ）に示すように、背面７２をリブ３７Ｚ１ａに案内され、側面７３をリブ３７Ｘ１ａに案内され、側面７４をリブ３７Ｘ２ａに案内されて、且つ、ガスケット部８０Ｚ２を仕切り壁３４の内側面３４ａに案内されて、イーサネットコネクタ収容部９０内に最終位置まで挿入される。
【００３８】
プリント回路基板モジュール２０がケース本体３０にねじ止め固定されると、イーサネットコネクタ７０はイーサネットコネクタ収容部９０内にＹ１方向に最終位置にまで挿入され、図４（Ａ）に示すように、ガスケット部８０Ｙ１が段部３８に突き当った状態となる。また、リブ３７Ｚ１ａによってイーサネットコネクタ７０はＺ２方向に寄せられており、ガスケット部８０Ｚ２は仕切り壁３４の内側面３４ａに押し当っている。また、開口８１がイーサネットプラグ差込用開口３６と一致している。
【００３９】
よって、イーサネットコネクタ７０は、背面７２寄りの部分をリブ３７Ｚ１ａ、３７Ｘ１ａ、３７Ｘ２ａによって位置規制されて、且つ、前面７１を壁３４によって位置規制されて、ケース１１の内部空間５０内に隙間（遊び）の無い状態で組み込まれている。
【００４０】
しかも、ガスケット部８０Ｚ２がイーサネットコネクタ７０の前面７１とケース本体３０の壁３４との間に挟み込まれていることによって、イーサネットプラグ差込用開口３６の周囲の部分のシールが完全な状態となっている。
【００４１】
なお、ガスケット部８０Ｙ１は、イーサネットコネクタ７０をプリント回路基板２１へ実装したときの組み立て寸法のバラツキ等を吸収すると共に、イーサネットプラグ差込用開口３６の周囲の部分のシール性を補完する。
【００４２】
上記のように、イーサネットコネクタ７０はケース１１の内部空間５０内にその防滴性を損なわないで組み込まれており、半田付け部８５もケース１１の内部空間５０内に存在しているため、半田付け部８５が酸化して錆びることが起きず、従来の問題点である酸化及び錆びの問題は解決され、電子機器１０は初期の特性を長期間に亘って維持することが出来る。イーサネットプラグ差込用開口３６がＺ２側を向いていることも、ケース１１の内部空間５０を防滴性を損なわないようにする上で有利である。
【００４３】
また、イーサネットコネクタ７０をケース１１の内部空間５０内に内部空間５０の防滴性を損なわないで組み込む作業は、イーサネットコネクタ７０をプリント回路基板２１上に半田付けして実装し、イーサネットコネクタ７０にガスケット８０を貼り付け、プリント回路基板モジュール２０をケース本体３０にねじ止め固定するだけで足りる。よって、この作業はし易い。
【００４４】
また、ガスケット８０がイーサネットコネクタ７０の前面７１を越えて上面７５にまで存在しているため、イーサネットコネクタ７０がその上面７５側からイーサネットコネクタ収容部９０内に挿入されるときに、ガスケット８０がめくれてしまうことが起きない。
【００４５】
また、イーサネットコネクタ７０には、図１に示すように、外部から延在しており、電子機器１０の部屋６５の内部にまで導かれているケーブル１００の先端のイーサネットプラグ１１０がイーサネットプラグ差込用開口３６を挿通されて接続される。このときに、イーサネットコネクタ７０はＺ１方向に押されるけれども、ホルダ部３７内に保持されているため、少しも動かされず、イーサネットプラグ（図示せず）の接続作業は違和感なく行なわれる。また、ガスケット部８０Ｚ２と仕切り壁３４との間に隙間が形成されることも起きず、ケース１１の内部空間５０の防滴性は少しも損なわれない。なお、ホルダ部３７がイーサネットコネクタ７０のうち上面７５側を保持しているため、イーサネットコネクタ７０の固定状態はより堅固である。
【実施例２】
【００４６】
図８はイーサネットコネクタ７０をケース１１の内部空間５０内に組み込む別の実施例を示す。
【００４７】
図８（Ａ）に示すように、ガスケット８０をケース本体３０の内面のうちイーサネットプラグ差込用開口３６の付近の壁３４と段部３８に跨って貼り付けておく。この状態で、イーサネットコネクタ７０がプリント回路基板２１上に半田付けされて実装してあるプリント回路基板モジュール２０をケース本体３０にねじ止め固定する作業を行なう。これによって、イーサネットコネクタ７０は、図８（Ｂ）に示す状態を経て、最終的には、図８（Ｃ）に示すようにイーサネットコネクタ収容部９０内に組み込まれる。
【００４８】
以上、本発明について好ましい実施の形態によって説明してきたが、本発明は上述した実施の形態に限定しないのは勿論である。例えば、上述ではイーサネットコネクタを実施例として説明したがイーサネットコネクタに限らず、別のコネクタにも適用が可能である。
【図面の簡単な説明】
【００４９】
【図１】本発明の実施例１になる電子機器を家の外壁に固定されて設置されたときの姿勢で分解して示す斜視図である。
【図２】図１の電子機器を背面側から見て分解して示す斜視図である。
【図３】本発明の実施例１になる電子機器を横側からみた断面図である。
【図４】（Ａ）は図３中、イーサネットコネクタが組み込んである部分を拡大して示す図、（Ｂ）は（Ａ）中Ｂ−Ｂ線に沿う断面図である。
【図５】ケース本体のイーサネットコネクタ収容部の部分をケース本体の背面側から見て拡大して示す斜視図である。
【図６】イーサネットコネクタを示す図である。
【図７】プリント回路基板モジュールをケース本体に取り付ける過程における、イーサネットコネクタがイーサネットコネクタ収容部に組み込まれる状態を示す図である。
【図８】別の実施例におけるイーサネットコネクタがイーサネットコネクタ収容部に組み込まれる状態を示す図である。
【図９】従来の電子機器を示す斜視図である。
【符号の説明】
【００５０】
１０  電子機器
１１  ケース
２０  プリント回路基板モジュール
２１  プリント回路基板
２２  電子部品
３０  ケース本体
３１  開口
３２  凹部
３３  背面壁
３４  仕切り壁
３５  壁
３６  イーサネットプラグ差込用開口
３７  ホルダ部
３７Ｚ１、３７Ｘ１、３７Ｘ２  板部
３７Ｚ１ａ、３７Ｘ１ａ、３７Ｘ２ａ  リブ
３７Ｚ１ｂ、３７Ｘ１ｂ、３７Ｘ２ｂ  ガイド部
３８  段部
３９  前面板部
４０  バックプレート
４１  ガスケット
５０  内部空間
６１，６２  ドア
６５  ケーブル中継接続用部屋
７０  イーサネットコネクタ
７１  前面
７６  イーサネットプラグ差込口
８０  ガスケット
８０Ｚ２、８０Ｙ１  ガスケット部
８５  半田付け部
９０  イーサネットコネクタ収容部
１１０  イーサネットプラグ
【図１】
2007220375.tif 000003
【図２】
2007220375.tif 000004
【図３】
2007220375.tif 000005
【図４】
2007220375.tif 000006
【図５】
2007220375.tif 000007
【図６】
2007220375.tif 000008
【図７】
2007220375.tif 000009
【図８】
2007220375.tif 000010
【図９】
2007220375.tif 000011